(57)【要約】【課題】下段部を上段部の上端開口から容易に取り出すことができ、製造コストを大幅に低減できる伸縮箸を提供する。【解決手段】一つの上段部１と、一つの下段部２と、一つの押圧素子３とを含む。上段部１は、両端が互いに連通した中空状態であり、両端には上端開口１１と下端開口１２とがそれぞれ設けてあり、上端開口１１に近接する箇所の内面には位置決め部１３が設けてある。下段部２は、両端の外周長さが異なり、外周長さのより大きい一端には上段部１の底端に挿入して結合するための結合段部２１が設けてある。押圧素子３は、上段部１の上端開口１１に嵌め込まれて上段部１の位置決め部１３と結合し、底端には押圧素子３と一体に結合した弾性片３２５が伸びている。下段部１を上段部２に挿入すると、弾性片３２５が下段部２の一外壁面を圧迫する。【選択図】図１
2007282645.tif 000002
【特許請求の範囲】
【請求項１】
一つの上段部と、一つの下段部と、一つの押圧素子とを含む伸縮箸において、
前記上段部は両端が互いに連通した中空状態であり、両端には上端開口と下端開口とがそれぞれ設けてあり、前記上端開口に近接する箇所の内面には位置決め部が設けてあり、
前記下段部は両端の外周長さが異なり、外周長さのより大きい一端には前記上段部の底端に挿入して結合するための結合段部が設けてあり、
前記押圧素子は前記上段部の上端開口に嵌め込まれて前記上段部の位置決め部と結合し、底端には前記押圧素子と一体に結合した弾性片が伸び、前記下段部を前記上段部に挿入すると、前記弾性片が前記下段部の一外壁面を圧迫することを特徴とする伸縮箸。
【請求項２】
前記押圧素子は、一つのボタンと、一つの係合ブッシュとを含み、前記ボタンには一つの押圧部と、前記押圧部から伸びたピンとが設けてあり、前記ピンの一側面には止め部が一つ設けてあり、前記係合ブッシュは中空を呈する素子であり、前記上段部の上端開口に嵌め込まれ、一つの位置決め段部と、一つの止め凸縁とが設けてあり、前記位置決め段部の反対側には位置決め穴が開設してあり、前記上段部の各突起が前記位置決め穴に係られて位置決めになり、前記係合ブッシュの内壁面には前記ピンの止め部がスライド可能なスライド溝が設けてあり、前記スライド溝は下へ開放し、前記係合ブッシュの底端の一側面には前記係合ブッシュと一体に連結した弾性片が伸びていることを特徴とする請求項１に記載の伸縮箸。
【請求項３】
前記下段部の小周端は、前記上段部の上端開口に挿入され、前記上段部と前記下段部を結合可能にするために、前記上段部の下端開口の内周面の周長さは前記下段部の結合段部の外周長さよりも小さいことを特徴とする請求項１に記載の伸縮箸。
【請求項４】
前記上段部の位置決め部は、前記上段部の上端開口に近接する内壁面に一つの突起が設けられていることを特徴とする請求項１に記載の伸縮箸。
【発明の詳細な説明】
【技術分野】
【０００１】
本発明は、伸縮箸に係り、特に、全長が伸縮可能であり、且つ使用後の洗浄が便利になる伸縮箸に関するものである。
【背景技術】
【０００２】
図５に示すのは、出願者が開発した従来の伸縮箸５の構造であり、前記伸縮箸５は一つの上段部５１と一つの下段部５２と一つの押圧素子６とを含み、前記下段部５２の上端が前記上段部５１の底端に嵌合して一体になり、前記上段部５１の両端には上端開口５１１と下端開口５１２とがそれぞれ設けてあり、前記下段部５２は上端開口５１１から入れられる。
【０００３】
前記押圧素子６は、一つのボタン６１と一つの係合ブッシュ６２とを有し、前記ボタン６１には一つの押圧部６１１と一つのピン６１２とが設けてあり、前記ピン６１２には止め部６１３が一つ設けてあり、なお、前記係合ブッシュ６２は中空を呈する素子であり、前記上端開口５１１に嵌め込まれ、且つ前記係合ブッシュ６２には一つの位置決め段部６２１と一つの止め凸縁６２２とが設けてあり、位置決め段部６２１には二つの互いに対向する位置決め穴６２３が開設してあり、且つ位置決め段部６２１の内壁面には下へ開放したスライド溝６２４が一つ設けてあり、前記ピン６１２の止め部６１３がスライド溝６２４をスライドする。
【０００４】
また、前記上段部５１の上端開口５１１に近接する内壁面には下突起５１３と上突起５１４とが上下に設けてあり、上段部５１に収容される下段部５２が下突起５１３に圧迫され、なお、押圧素子６が前記上突起５１４に固定され、これにより、押圧素子６は上段部５１と結合する。
【発明の開示】
【発明が解決しようとする課題】
【０００５】
しかしながら、上記の伸縮箸の下段部５２を取り出して洗浄しようとする場合には、下段部５２の頂端に近接する箇所の幅は互いに対向する二つの下突起５１３の間のギャップよりも大きく、且つ上段部の下突起５１３が撓み可能な部位ではないので、二つの下突起５１３の間のギャップは容易に変化できず、だから、下段部５２は容易に取り出せず、別のもの（例えば、別の伸縮箸）で下段部５２を押さないと取り出すことはできず、この伸縮箸の使用は極めて不便である。且つ上段部５１の下突起５１３と上突起５１４との加工は工数が掛かり、製造コストは高くなる。
本発明の主な目的は、下段部を上段部の上端開口から容易に取り出すことができ、使用後の洗浄が便利になり、且つ製造コストが大幅に低減する伸縮箸を提供する。
【課題を解決するための手段】
【０００６】
上記目的を達成するためになされた本発明は、一つの上段部と、一つの下段部と、一つの押圧素子とを含む伸縮箸において、前記上段部は両端が互いに連通した中空状態であり、両端には上端開口と下端開口とがそれぞれ設けてあり、且つ前記上端開口に近接する箇所の内面には位置決め部が設けてあり、前記下段部は両端の外周長さが異なり、外周長さのより大きい一端には前記上段部の底端に挿入して結合するための結合段部が設けてあり、前記押圧素子は前記上段部の上端開口に嵌め込まれて前記上段部の位置決め部と結合し、その底端には前記押圧素子と一体に結合した弾性片が伸び、前記下段部を前記上段部に挿入すると、前記弾性片が前記下段部の一外壁面を圧迫することを特徴とする伸縮箸であることを要旨としている。
【０００７】
本発明では、前記押圧素子は一つのボタンと一つの係合ブッシュとを含み、前記ボタンには一つの押圧部と、前記押圧部から伸びたピンとが設けてあり、前記ピンの一側面には止め部が一つ設けてあり、前記係合ブッシュは中空を呈する素子であり、前記上段部の上端開口に嵌め込まれ、一つの位置決め段部と一つの止め凸縁とが設けてあり、前記位置決め段部の反対側には位置決め穴が開設してあり、前記上段部の各突起が前記位置決め穴に係られて位置決めになり、前記係合ブッシュの内壁面には前記ピンの止め部がスライド可能なスライド溝が設けてあり、前記スライド溝は下へ開放し、前記係合ブッシュの底端の一側面には前記係合ブッシュと一体に連結した弾性片が伸びていることを特徴とする請求項１に記載の伸縮箸であることを要旨としている。
【０００８】
本発明では、前記下段部の小周端が前記上段部の上端開口に挿入され、なお、前記上段部と前記下段部を結合可能にするために、前記上段部の下端開口の内周面の周長さが前記下段部の結合段部の外周長さよりも小さいことを特徴とする請求項１に記載の伸縮箸であることを要旨としている。
本発明では、前記上段部の位置決め部は前記上段部の上端開口に近接する内壁面に一つの突起が設けてあることを特徴とする請求項１に記載の伸縮箸であることを要旨としている。
【０００９】
（発明の効果）
本発明に係る伸縮箸によれば、下段部を上段部の上端開口から容易に取り出すことができ、使用後の洗浄が便利になり、且つ製造コストが大幅に低減する効果がある。
【発明を実施するための最良の形態】
【００１０】
以下、添付図面を参照して本発明の好適な実施の形態を詳細に説明する。
まず、図１から図４を参照する。図１から図４に示すのは、本発明を説明するために挙げた実施例だけであり、本発明の特許請求範囲を限定するためのものではない。
本発明の一実施例による伸縮箸は、図１から図４に示すように、一つの上段部１と、一つの下段部２と、一つの押圧素子３とを含む。
【００１１】
前記上段部１は、両端が互いに連通した中空状態であり、両端には上端開口１１と下端開口１２とがそれぞれ設けてあり、且つ前記上端開口１１に近接する箇所の内面には位置決め部１３が設けてあり、本実施例では、前記上段部１の位置決め部１３は前記上段部１の上端開口１１に近接する内壁面に一つの突起が設けてある。
【００１２】
前記下段部２は、両端の外周長さが異なり、外周長さのより大きい一端には前記上段部１の底端に挿入して結合するための結合段部２１が設けてある。前記下段部２の小周端が前記上段部１の上端開口１１に挿入され、なお、前記上段部１と前記下段部２を結合可能にするために、前記上段部１の下端開口１２の内周面の周長さは前記下段部２の結合段部２１の外周長さよりも小さい。
前記押圧素子３は、一つのボタン３１と一つの係合ブッシュ３２とを含み、前記ボタン３１には一つの押圧部３１１と、前記押圧部３１１から伸びたピン３１２とが設けてあり、前記ピン３１２の一側面には止め部３１３が一つ設けてある。
【００１３】
本実施例では、前記係合ブッシュ３２は中空を呈する素子であり、前記上段部１の上端開口１１に嵌め込まれ、一つの位置決め段部３２１と一つの止め凸縁３２２とが設けてあり、前記位置決め段部３２１の反対側には位置決め穴３２３が開設してあり、前記上段部１の各突起１３が前記位置決め穴３２３に係られて位置決めになる。前記係合ブッシュ３２の内壁面には前記ピン３１２の止め部３１３がスライド可能なスライド溝３２４が設けてあり、前記スライド溝３２４が下へ開放し、前記係合ブッシュ３２の底端の一側面には前記係合ブッシュ３２と一体に連結した弾性片３２５が伸び、前記下段部２を前記上段部１に挿入すると、前記弾性片３２５が前記下段部２の一外壁面を圧迫する。
【００１４】
次に、図４を参照して本実施例の伸縮箸の使用方法を詳細に説明する。前記ボタン３１の止め部３１３が係合ブッシュ３２の内壁面に設けたスライド溝３２４を摺動自在であるため、前記ボタン３１の押圧部３１１を押圧すると、ピン３１２により下段部２が弾性片３２５から離脱し、且つ前記下段部２の受ける押圧力が前記弾性片３２５の圧迫極限を超えないと、前記下段部２を瞬間で弾き出すことができないので、前記下段部２の結合段部２１と前記上段部１の底端は適当な結合力で係合し、これにより、本実施例の伸縮箸は使用できるようになる。
【００１５】
使用後に洗浄しようとする場合には、まず、前記押圧素子３を外側へ引き、前記引き力が上段部１にある突起の係合ブッシュ３２にある位置決め穴３２３に対する押え力よりも大きくなると、前記押圧素子３を取り出すことができ、且つ前記弾性片３２５も押圧素子３と一緒に引かれて下段部２にある結合段部２１から離脱し、なお、上段部１の上端開口１１に設けた二つの突起の間のギャップは下段部２にある結合段部２１の対向する両壁面の間の距離よりも大きいので、下段部２を上段部１の上端開口１１から容易に取り出すことができ、これにより、上段部１の内壁面の洗浄は容易になり、そして、洗浄後に上記部材を組合すると、本実施例の伸縮箸の収納も極めて容易である。且つ本実施例の押圧素子３の弾性片３２５の構造は簡単であるので、製造コストは大幅に低減する。
【図面の簡単な説明】
【００１６】
【図１】本発明の一実施例による伸縮箸を示す分解斜視図である。
【図２】本発明の一実施例による伸縮箸を示す斜視図である。
【図３】本発明の一実施例による伸縮箸の組合状態を示す断面図である。
【図４】本発明の一実施例による伸縮箸の使用状態を示す断面図である。
【図５】従来の伸縮箸の分解斜視図である。
【符号の説明】
【００１７】
１  上段部、２  下段部、３  押圧素子、５  伸縮箸、６  押圧素子、１１  上端開口、１２  下端開口、１３  位置決め部、２１  結合段部、３１  ボタン、３２  係合ブッシュ、５１  上段部、５２  下段部、６１  ボタン、６２  係合ブッシュ、３１１  押圧部、３１２  ピン、３１３  止め部、３２１  位置決め段部、３２２  止め凸縁、３２３  位置決め穴、３２４  スライド溝、３２５  弾性片、５１１  上端開口、５１２  下端開口、５１３  下突起、５１４  上突起、６１１  押圧部、６１２  ピン、６１３  止め部、６２１  位置決め段部、６２２  止め凸縁、６２３  位置決め穴、６２４  スライド溝
【図１】
2007282645.tif 000003
【図２】
2007282645.tif 000004
【図３】
2007282645.tif 000005
【図４】
2007282645.tif 000006
【図５】
2007282645.tif 000007